(57)【要約】【課題】排水中のゴミや髪の毛、糸くず等を円滑に捕集することができ、旋回流により、捕集したゴミや髪の毛、糸くずを捕集部材の中央に集めることができ、本体部の構造を複雑化したりすることなく構成した排水トラップを提供する。【解決手段】排水機器からの排水が排水される排水管３を導入管２の中心軸に対し偏芯させて導入管２内部に旋回流を発生させるように構成し、前記導入管２内部に、排水中のゴミや髪の毛等を捕集する捕集部材７を配置構成した。【選択図】図１
2013147890.tif 000002
【特許請求の範囲】
【請求項１】
箱体であって、排水が流入する排水口１１及び排水が排出される排出口１２を有した本体部１３と、
本体内部に配置されて、内部に排水を貯水する椀状のオワン部１４と、
排水口１１に着脱可能に取り付けられる筒体であって、前記オワン部１４にその筒体下端を配置してオワン部１４と協同して封水を形成する防臭筒１５と、
前記防臭筒１５内に配置されてその下端を封水内に配置する導入管２と、
防水パンや槽体からの排水を本体部１３内部へ排水させる為の前記排水口１１と防臭筒１５内部を通過して流路として形成する第一流路５と、
排水が発生する機器からの排水を本体部１３内部へ排水させる為であって、前記導水管を介して前記排水口１１と防臭筒１５内部を通過して流路として形成する第二流路６と、
から構成される排水トラップにおいて、
排水機器からの排水が排水される排水管３を導入管２に接続し、該排水管３を導入管２の中心軸に対し偏芯させて導入管２内部に旋回流を発生させるように構成し、
前記導入管２内部に、排水中のゴミや髪の毛等を捕集する捕集部材７を配置構成したことを特徴とする排水トラップ。
【請求項２】
前記捕集部材７を、導入管２の封水部より上方に配置したことを特徴とする前記請求項１に記載の排水トラップ。
【請求項３】
前記捕集部材７を、すり鉢状に形成したことを特徴とする前記請求項１又は請求項２に記載の排水トラップ。
【請求項４】
前記捕集部材７を、中心部分を上方に突き出させて凸部７２を山状に構成し、該凸部７２の外周にて捕集することを特徴とする前記請求項１又は請求項２に記載の排水トラップ。
【請求項５】
前記捕集部材７を、導入管２から着脱自在に取り付けられることを特徴とする前記請求項１乃至請求項４のいずれか一つに記載の排水トラップ。
【請求項６】
上面視前記導入管２の位置を、防臭筒１５の中心軸より偏芯して構成したことを特徴とする前記請求項１乃至請求項５のいずれか一つに記載の排水トラップ。
【請求項７】
前記オワン部１４を、本体部１３から着脱可能に構成したことを特徴とする前記請求項１乃至請求項６のいずれか一つに記載の排水トラップ。
【発明の詳細な説明】
【技術分野】
【０００１】
本発明は、台所の流し台、浴室、洗面台、洗濯機等の排水が発生する機器に用いられる、下水からの異臭や害虫を室内側へ逆流させない為に用いられる封水を有した排水トラップに関するものである。
【背景技術】
【０００２】
図７乃至図９に示したように、従来から台所の流し台や浴室、洗面台、洗濯機等の排水が発生する機器に用いられる排水トラップがある。
図７に示した排水トラップは、浴室の洗い場に取り付けられる排水トラップであり、防臭筒内部に捕集部材であるゴミカゴを設置し、浴槽からの排水を導入管によって防臭筒内に排水する構成である。このような構成であると、ゴミカゴ内に浴槽からの排水や洗い場からの排水中に含まれる髪の毛や排水ゴミをゴミカゴによって捕集することができるものの、ゴミカゴ内周面に髪の毛や排水ゴミやアカがへばりつき、使用者が日々のメンテナンスで清掃する際に、ゴミカゴ内をブラシやスポンジ・タワシ等でこすらないとゴミカゴ内のゴミをキレイに除去することが難しかった。また、本従来例では、特にヘアキャッチャーが常時封水中に浸水するように配置している為、ゴミカゴ内にヌメリが発生しやすく、排水中のゴミや髪の毛が更に付着しやすかった。また、封水中に髪の毛等のゴミが常時封水中に浮遊することとなり、使用者にとっての美観を損ねていた。
【０００３】
また、図８に示した排水トラップは、浴室の洗い場に取り付けられる排水トラップであり、浴槽からの排水が排水される際には枝管を介して排水トラップへと排出されるが、このとき、枝管の取り付け位置を斜めにしたり本体内部が渦流が発生するよう構成されているため、排水トラップ本体内で渦流が発生することとなる。排水トラップ内で渦流が発生すると、渦流が排水口付近まで逆流し、排水口に取り付けられている捕集部材としてのヘアキャッチャーまで渦流が逆流し、ヘアキャッチャーに捕集されている洗い場排水中の排水ゴミや髪の毛が渦流によってヘアキャッチャーの中央部分に集めることができる。しかし、このような構成であると、浴槽からの排水を排水口付近まであえて逆流させねばならない為、場合によっては洗い場パン上まで逆流したり、また、浴槽側へ逆流したりすることがあった。また、渦流を排水トラップ本体内部で発生させ、更にその渦流を上昇させる、という構成では排水トラップ本体の構造が複雑化しやすく、生産性や組み立て性、施工性が非常に悪く、更に費用アップとなっていた。
【０００４】
また、図９に示した排水トラップは、台所の流し台の排水口に取り付けられる排水トラップであるが、これは、流し台の溝構造及び排水トラップ上流の排水器本体内の湾曲面によって、排水器本体内部に渦流が発生し、排水器本体内周及び、捕集部材であるゴミカゴ内も渦流によって清掃することができるものである。しかし、このような構成であると、流し台の形状も変更しなければならない上に、渦流が旋回するのは排水器本体の内表面であり、ゴミカゴ内を清掃することができなかった。
【先行技術文献】
【特許文献】
【０００５】
【特許文献１】実用新案登録第２５８７０３９号公報
【特許文献２】特開２００７−１２００４１号公報
【特許文献３】特開２００９−２４９９０２号公報
【発明の概要】
【発明が解決しようとする課題】
【０００６】
本発明の排水トラップは、以下の課題を解決する排水トラップを提供するものである。
１．排水が発生する機器からの排水を本体部内部へ排水させる第二流路中の排水中のゴミや髪の毛、糸くず等を円滑に捕集することができる排水トラップ。
２．旋回流により、捕集したゴミや髪の毛、糸くずを捕集部材の中央に集めることが出来る排水トラップ。
３．本体部の構造を複雑化したりすることなく構成した排水トラップ。
【課題を解決するための手段】
【０００７】
請求項１に記載の排水トラップは、箱体であって、排水が流入する排水口１１及び排水が排出される排出口１２を有した本体部１３と、本体内部に配置されて、内部に排水を貯水する椀状のオワン部１４と、排水口１１に着脱可能に取り付けられる筒体であって、前記オワン部１４にその筒体下端を配置してオワン部１４と協同して封水を形成する防臭筒１５と、前記防臭筒１５内に配置されてその下端を封水内に配置する導入管２と、防水パンや槽体からの排水を本体部１３内部へ排水させる為の前記排水口１１と防臭筒１５内部を通過して流路として形成する第一流路５と、排水が発生する機器からの排水を本体部１３内部へ排水させる為であって、前記導水管を介して前記排水口１１と防臭筒１５内部を通過して流路として形成する第二流路６と、から構成される排水トラップにおいて、排水機器からの排水が排水される排水管３を導入管２に接続し、該排水管３を導入管２の中心軸に対し偏芯させて導入管２内部に旋回流を発生させるように構成し、前記導入管２内部に、排水中のゴミや髪の毛等を捕集する捕集部材７を配置構成したことを特徴とする排水トラップである。
【０００８】
請求項２に記載の排水トラップは、前記捕集部材７を、導入管２の封水部より上方に配置したことを特徴とする前記段落０００７に記載の排水トラップである。
【０００９】
請求項３に記載の排水トラップは、前記捕集部材７を、すり鉢状に形成したことを特徴とする前記段落０００７又は段落０００８に記載の排水トラップである。
【００１０】
請求項４に記載の排水トラップは、前記捕集部材７を、中心部分を上方に突き出させて凸部７２を山状に構成し、該凸部７２の外周にて捕集することを特徴とする前記段落０００７又は段落０００８に記載の排水トラップである。
【００１１】
請求項５に記載の排水トラップは、前記捕集部材７を、導入管２から着脱自在に取り付けられることを特徴とする前記段落０００７乃至段落００１０のいずれか一つに記載の排水トラップである。
【００１２】
請求項６に記載の排水トラップは、上面視前記導入管２の位置を、防臭筒１５の中心軸より偏芯して構成したことを特徴とする前記段落０００７乃至段落００１１のいずれか一つに記載の排水トラップである。
【００１３】
請求項７に記載の排水トラップは、前記オワン部１４を、本体部１３から着脱可能に構成したことを特徴とする前記段落０００７乃至段落００１２のいずれか一つに記載の排水トラップである。
【発明の効果】
【００１４】
請求項１の本発明は、排水機器からの排水が排水される排水管３を導入管２の中心軸に対し偏芯させて導入管２内部に旋回流を発生させるように構成し、前記導入管２内部に、排水中のゴミや髪の毛等を捕集する捕集部材７を配置構成したことから、捕集部材７の中央に排水中のゴミや髪の毛が真ん中に集まる為、捕集部材７内周面にゴミや髪の毛がへばりつくようなことがない。したがって、捕集部材７の清掃時には、捕集部材７を使用者が裏返すだけで簡単にゴミを捨てることが出来、清掃が簡単になった。
請求項２の本発明は、捕集部材７を導入管２の封水８より上方に配置したことから、捕集したゴミや髪の毛、糸くずが、より真ん中に集まりやすくなった。また、封水８中に捕集部材７を配置させないため、封水８中に排水中のゴミや髪の毛、糸くずが浮遊したりすることがない。
請求項３の本発明は、捕集部材７をすり鉢状に形成したことから、捕集したゴミや髪の毛、糸くずが、より真ん中に集まりやすくなった。
請求項４の本発明は、捕集部材７を、中心部分を上方に突き出させて凸部７２を山状に構成し、該凸部７２の外周にて捕集したことにより、捕集したゴミや髪の毛、糸くずを、凸部７２の外周にリング状に集めやすくなり、捕集したゴミを捨てやすくなった。
請求項５の本発明は、捕集部材７を導入管２から着脱自在に取り付けることができ、施工後に使用者によって簡単に清掃等のメンテナンスができるようになった。
請求項６の本発明は、上面視前記導入管２の位置を、防臭筒１５の中心軸より偏芯して構成したことから、規定の内径寸法である防臭筒１５内に配置される導入管２の内径がある程度大きくなってしまっても、導入管２が防臭筒１５の中心軸に対し偏芯して配置されている為、第一流路５が防臭筒１５を通過する箇所の上面視開口面積をより大きく設けることが出来る。
請求項７の本発明は、前記オワン部１４を、本体部１３から着脱可能に構成したことから、排水トラップ（Ｈ）本体部１３内の清掃が容易となった。
【図面の簡単な説明】
【００１５】
【図１】（ａ）本発明の第一実施例の第一流路を示す断面図である。（ｂ）本発明の第一実施例の第二流路を示す断面図である。
【図２】本発明の第一実施例の洗濯機と洗濯機用防水パンの施工状態を示す斜視図である。
【図３】本発明の第一実施例の、図１のヘアーキャッチャーを取り外した状態の上面図である。
【図４】本発明の第一実施例の、図１のヘアーキャッチャーを取り付けた状態の上面図である。
【図５】（ａ）本発明の第二実施例の第一流路を示す断面図である。（ｂ）本発明の第二実施例の第二流路を示す断面図である。
【図６】本発明の第二実施例の浴槽と洗い場パンの施工状態を示す斜視図である。
【図７】従来例を示す断面図である。
【図８】従来例を示す断面図である。
【図９】従来例を示す断面図である。
【発明を実施するための形態】
【００１６】
図２に示しているように、本実施例では、洗濯機（Ｓ）と、洗濯機（Ｓ）が載置される洗濯機用防水パン（Ｓ１）に用いられる排水トラップ（Ｈ）であって、該排水トラップ（Ｈ）およびそれが用いられる排水機器は以下の構成を有している。
本実施例は、図１乃至図４に示すように排水機器としての洗濯機（Ｓ）と、洗濯機用防水パン（Ｓ１）と、排水管３と、第一流路５と、第二流路６と、排水トラップ（Ｈ）と、から構成される。
洗濯機（Ｓ）は、排水が発生する排水機器としての洗濯機（Ｓ）である。
洗濯機用防水パン（Ｓ１）は、上記洗濯機（Ｓ）が載置される箱体であって、底部には排水用の開口が開口されている。
排水管３は、洗濯機（Ｓ）内部の排水を排水トラップ（Ｈ）へと排水する為の管体であって、後述する排水トラップ（Ｈ）の導入管２に水密的に接続される。
第一流路５は、図１（ａ）の矢印にて示すように、洗濯機用防水パン（Ｓ１）上に発生した排水を後述する排水トラップ（Ｈ）本体部１３内へ流入させる為の流路であって、排水トラップ（Ｈ）の排水口１１と防臭筒１５内部を通過する流路である。尚、本実施例では、排水口１１を上面視した際、防臭筒１５内部の、特に防臭筒１５内の導入管２が配置されている部分を除く開口面積部分が、第一流路５の排水通過部分である。
第二流路６は、図１（ｂ）の矢印にて示すように、排水が発生する機器（本実施例では洗濯機（Ｓ））からの排水を後述する排水トラップ（Ｈ）の本体部１３内部へ排水させる為の流路であって、本実施例では後記する排水管３、導水管を介して前記排水口１１と防臭筒１５内部を通過して、排水トラップ（Ｈ）の封水８中に排水される流路として形成される。
排水トラップ（Ｈ）は、上記洗濯機用防水パン（Ｓ１）の排水用の開口に取り付けられて、洗濯機（Ｓ）から発生した排水と、洗濯機用防水パン（Ｓ１）上に発生した排水を下水へと排水する部材である。また、排水トラップ（Ｈ）は、本体部１３、オワン部１４、防臭筒１５、導入管２、捕集部材７、から構成される。
本体部１３は、箱体であって、排水が流入する排水口１１と、排水が排出される排出口１２を有しており、前記洗濯機（Ｓ）用の防水パンの排水用の開口に取り付けられている。
オワン部１４は、上部が開口した円筒状の椀体であって、側面には排水用の流出口が構成されている。本実施例では、排水口１１から着脱自在に取り付けられているため、使用者が本体内部を清掃する際にはオワン部１４を適宜取り外すことで、本体内部が清掃しやすい。また、オワン部１４内部の、特に流出口の開口の底面まで高さまで、排水の一部が貯水する形状となっている。
防臭筒１５は、前記排水口１１に着脱自在に取り付けられる円筒状の筒体である。防臭筒１５を排水口１１に取り付けた際には、防臭筒１５下端が前記オワン部１４内部に配置されるように構成される。また、防臭筒１５が排水口１１に取り付けられた際にはオワン部１４と協同して、封水８を形成する。尚、封水８とは、オワン部１４内に貯水される一部の排水であって、防臭筒１５がその内部に配置されると、下水側と室内側とが封水８によってシールされることとなり、下水側からの異臭や害虫が室内側へ逆流しないよう構成されている。
導入管２は、本実施例では上部体２２と下部体２１と２パーツによって構成される前記防臭筒１５内に配置される円筒体である。導入管２の上部体２２には、前記洗濯機（Ｓ）からの前記した排水管３が、導入管２の中心軸に対して偏芯して接続されている。導入管２と排水管３の偏芯しての接続とは、図３及び図４にて示すように、具体的には、渦巻きポンプのケーシングの如く、導入管２内への排水の流入口として働く排水管３が、導入管２の中心軸に垂直な平面内にあるよう配置される。また、導入管２の下部体２１は、円筒体であって、その下端は防臭筒１５より外側方向へと向かうように構成され、導入管２内の排水が、防臭筒１５の第一流路５から逆流しないように構成されている。また、導入管２の上部体２２と下部体２１は、本実施例においては係合によって着脱自在に取り付けられている。また、導入管２下端を封水８内に配置させることによって、洗濯機（Ｓ）から排水される泡まじりの排水であっても、導入管２の下端が防臭筒１５下端の外側まで構成されているため、封水８の防臭筒１５より下流に強制的に排水されるので、水より比重が小さい大量の泡が排水されても、排水口１１側から洗濯機用防水パン（Ｓ１）上に排水が逆流するようなことはない。また、導入管２内部には、捕集部材７が配置構成されている。また、導入管２の中心軸は、本実施例において、上面視防臭筒１５の中心軸に対して偏芯して配置されている。尚、当該状態を示す図として、図３の中心線にて示す。図３の排出口１２側の中心線は、導入管２の中心軸であり、排出口１２と逆の位置に記載している中心線は、防臭筒１５の中心線である。このように導入管２の中心軸が防臭筒１５の中心軸に対して偏芯して配置されていることにより、第一流路５の排水口１１の通過部分の面積を大きくとることができ、防水パン上に大きな排水ゴミや髪の毛のかたまり等が発生したとしても、図４に示したように、排水口１１に設置するヘアーキャッチャー４で捕集することが出来る。
また、導入管２と前記排水管３との接続箇所は、導入管２の中心軸から上面視偏芯して接続されているため、第二流路６（本実施例では洗濯機（Ｓ）からの排水）からの排水が、導入管２に入水した際、導入管２の内周面の円周面に沿うように排水され、導水管内部で旋回流が発生することとなる。
また、捕集部材７は、前記導水管内部に着脱自在に取り付けられている網の目状部分を設けた部材であって、第二流路６からの排水中に混入している糸くずやゴミを捕集する部材である。当該捕集部材７は下方にいくほど窄まり、テーパー面７１を有した漏斗状、すり鉢形状のゴミカゴである。また、本実施例では該捕集部材７が封水８に浸らないよう、封水８より上方に位置するように配置されている。また、捕集部材７は、すり鉢状に構成されている為、導入管２内の上記第二流路６からの旋回流によって、捕集部材７のすり鉢状のゴミカゴ内で、排水中のゴミや髪の毛が、捕集部材７の真ん中に集まる。これは、旋回流ですり鉢状のゴミカゴの外周部分のテーパー面７１に旋回流が通過することとなるが、このとき、捕集部材７はすり鉢状であることから、旋回流で外周面に位置する髪の毛がゴミは旋回流によってはがれ、ゴミカゴの中央部分に集まるように作用する。
【００１７】
前記のように構成した排水トラップ（Ｈ）は、以下のように施工される。
洗濯機用防水パン（Ｓ１）の排水用の開口に下側から排水トラップ（Ｈ）の排水口１１を位置あわせし、フランジ部材等で本体部１３を洗濯機用防水パン（Ｓ１）に取り付ける。そして、排水口１１にオワン部１４を挿入し、本体部１３内に位置するよう取り付ける。そして、導入管２の下部体２１をオワン部１４内に配置し、導入管２が防臭筒１５内に配置されるように排水口１１に防臭筒１５を取り付ける。尚、導入管２内には、あらかじめ捕集部材７が取り付けられているが、施工の際に、導入管２内に取り付けてもかまわない。そして、排水口１１に、第一流路５からの排水ゴミや髪の毛を捕集するヘアーキャッチャー４を取り付け、洗濯機（Ｓ）の排水管３が接続された導入管２の上部体２２を導入管２の下部体２１に取り付ける。また、洗濯機（Ｓ）の洗濯機用防水パン（Ｓ１）上への載置は、排水トラップ（Ｈ）の施工後に載置する、もしくは洗濯機用防水パン（Ｓ１）にあらかじめ載置し、その後排水トラップ（Ｈ）を施工する方法でもかまわない。このようにして、本実施例の排水トラップ（Ｈ）の施工は完了する。
【００１８】
前記のように構成した排水トラップ（Ｈ）は、以下のような排水の流れとなる。
本発明は第一流路５からの排水と第二流路６からの排水と２系統の排水流路がある。
まず、第一流路５の排水は、図１（ａ）のように洗濯機用防水パン（Ｓ１）上に発生した排水を、排水トラップ（Ｈ）内へと排水する流路である。洗濯機用防水パン（Ｓ１）上で排水が発生すると、洗濯機用防水パン（Ｓ１）の排水用開口に取り付けられた排水トラップ（Ｈ）本体部１３の排水口１１から、ヘアーキャッチャー４を介して本体部１３内へと流入する。このとき、排水口１１に取り付けられた防臭筒１５から本体部１３内部へと流入することとなる。
また、第二流路６の排水は、図１（ｂ）のように排水機器である洗濯機（Ｓ）から発生した排水であって、洗濯機（Ｓ）の排水用ホースから排水された排水は、排水ホースに接続された排水管３を介し、導入管２内部へと排水される。導入管２内に排水された排水は、導入管２内を旋回流によって旋回しながら排水され、捕集部材７を介して排水トラップ（Ｈ）の本体部１３内の封水８へと排水される。このとき、導入管２内部には捕集部材７が取り付けられている為、第二流路６内に混入している糸くずや排水ゴミ等が捕集部材７によって捕集されることとなる。
【００１９】
前記のように構成した排水トラップ（Ｈ）は、以下のようにメンテナンスされる。
導入管２内に捕集したゴミが溜まると定期的に使用者が清掃しなければならない。このとき、使用者は、洗濯機用防水パン（Ｓ１）の上方から導入管２の上部体２２を取り外す。すると、導入管２下部体２１内には捕集部材７が取り付けられているので、導入管２上方から捕集部材７を取り外すことができる。その後、捕集部材７を裏返すのみで簡単に捕集部材７上の捕集したゴミや糸くずを取り去ることができる。また、導入管２内部は、図１（ｂ）の矢印のように排水が内周面に沿うように旋回流が排水されている為、排水中のゴミや糸くずが捕集部材７の中心に集まり、捕集部材７の側面や導入管２内周にこびりついたりしない為、使用者が捕集部材７を取り外して簡単に裏返すだけでゴミや髪の毛がはがれ落ちるようになる。
また、排水トラップ（Ｈ）内部を清掃したい場合には、この後に排水口１１からヘアーキャッチャー４と防臭筒１５を取り外す。その後、導入管２を排水トラップ（Ｈ）本体部１３内から取り出し、オワン部１４も排水口１１から取り外す。その後、排水口１１から使用者が、本体部１３内部や、取り外した捕集部材７、防臭筒１５、オワン部１４、導入管２をブラシ等で簡単に清掃することができる。
この後、上記の施工の項目に記載したように、オワン部１４、防臭筒１５、導入管２、排水管３、捕集部材７を取り付けることで、メンテナンスは完了する。
【００２０】
また、そのほかの実施例として図５又は図６に示した排水トラップ（Ｈ）がある。
図６に示しているように、第二実施例では、浴室に取り付けられる排水トラップ（Ｈ）であって、該排水トラップ（Ｈ）およびそれが用いられる排水機器は以下の構成を有している。
本実施例は、図６のように排水機器としての浴槽（Ｙ）と、洗い場パン（Ｙ１）と、排水管３と、第一流路５と、第二流路６と、排水トラップ（Ｈ）と、から構成される。
浴槽（Ｙ）は、底部に排水用の開口を設けた箱体であって、排水が発生する排水機器としての浴槽（Ｙ）である。また、該浴槽（Ｙ）は浴室に設置される。
洗い場パン（Ｙ１）は、上記浴槽（Ｙ）の横に設置される洗い場を形成する防水パンであって、底部には排水用の開口が開口されている。
尚、本実施例では、浴室内に浴槽（Ｙ）と洗い場パン（Ｙ１）が設置され、具体的には浴槽（Ｙ）の横に洗い場パン（Ｙ１）が載置され、浴槽（Ｙ）と洗い場パン（Ｙ１）の境界にはエプロン（Ｅ）が設置される。
排水管３は、浴槽（Ｙ）内部の排水を排水トラップ（Ｈ）へと排水する為の管体であって、後述する排水トラップ（Ｈ）の導入管２に水密的に接続される。また、当該排水管３は、浴室のエプロン（Ｅ）を貫通して洗い場パン（Ｙ１）に取り付けられた排水トラップ（Ｈ）の導入管２に接続される。
第一流路５は、図５（ａ）に示したように、洗い場パン（Ｙ１）上に発生した排水を後述する排水トラップ（Ｈ）の本体内へ流入させる為の流路であって、排水トラップ（Ｈ）の排水口１１と防臭筒１５内部を通過する流路である。尚、本実施例では、排水口１１を上面視した際、防臭筒１５内部の、特に防臭筒１５内の導入管２が配置されている部分を除く開口面積部分が、第一流路５の排水通過部分である。
第二流路６は、図５（ｂ）に示したように、排水が発生する機器（本実施例では浴槽（Ｙ））からの排水を後述する排水トラップ（Ｈ）の本体部１３内部へ排水させる為の流路であって、本実施例では後記する排水管３、導水管を介して前記排水口１１と防臭筒１５内部を通過して、排水トラップ（Ｈ）の封水８中に排水される流路として形成される。
排水トラップ（Ｈ）は、図６に示したように、上記洗い場パン（Ｙ１）の排水用の開口に取り付けられて、浴槽（Ｙ）から発生した排水と、洗い場パン（Ｙ１）上に発生した排水を下水へと排水する部材である。また、排水トラップ（Ｈ）は、本体部１３、オワン部１４、防臭筒１５、導入管２、捕集部材７、から構成される。
本体部１３は、箱体であって、排水が流入する排水口１１と、排水が排出される排出口１２を有しており、前記洗い場パン（Ｙ１）の排水用の開口に取り付けられている。
オワン部１４は、上部が開口した円筒状の椀体であって、本体部１３底面から上方にむけて円筒状に飛び出して形成される椀状部材である。オワン部１４上端の高さまで、排水の一部が貯水する形状となっている。
防臭筒１５は、前記排水口１１に着脱自在に取り付けられる円筒状の筒体である。防臭筒１５を排水口１１に取り付けた際には、防臭筒１５下端が前記オワン部１４内部に配置されるように構成される。また、防臭筒１５が排水口１１に取り付けられた際にはオワン部１４と協同して、封水８を形成する。尚、封水８とは、オワン部１４内に貯水される一部の排水であって、防臭筒１５がその内部に配置されると、下水側と室内側とが封水８によってシールされることとなり、下水側からの異臭や害虫が室内側へ逆流しないよう構成されている。
導入管２は、本実施例では上部体２２と下部体２１と２パーツによって構成される前記防臭筒１５内に配置される円筒体である。導入管２の上部体２２には、前記浴槽（Ｙ）からの前記した排水管３が、導入管２の中心軸に対して偏芯して接続されている。導入管２と排水管３の偏芯しての接続とは、第一実施例の図ではあるが図３に記載したように、具体的には、渦巻きポンプのケーシングの如く、導入管２内への排水の流入口として働く排水管３が、導入管２の中心軸に垂直な平面内にあるよう配置される。また、導入管２の下部体２１は、円筒体であって、その下端は封水８内に位置するように構成されている。また、導入管２の上部体２２と下部体２１は、本実施例においては係合によって着脱自在に取り付けられている。また、導入管２内部には、捕集部材７が配置構成されている。また、導入管２と前記排水管３との接続箇所は、導入管２の中心軸から上面視偏芯して接続されているため、第二流路６（本実施例では浴槽（Ｙ）からの排水）からの排水が、導入管２に入水した際、導入管２の内周面の円周面に沿うように排水され、導水管内部で旋回流が発生することとなる。
また、捕集部材７は、前記導水管内部に着脱自在に取り付けられている網の目状の部分を有した部材であって、第二流路６からの排水中に混入している髪の毛やゴミを捕集する部材である。当該捕集部材７は中心部分を上方に突き出させて凸部７２を山状に構成し、該凸部７２の外周にて排水中のゴミや髪の毛を捕集するように構成されている。また、本実施例では該捕集部材７が封水８に浸らないよう、封水８より上方に位置するように配置されている。また、捕集部材７は、中心部分を上方に突き出させて凸部７２を山状に構成されている為、導入管２内の上記第二流路６の旋回流によって、捕集部材７の凸部７２外周に排水中のゴミや髪の毛が捕集される。
【００２１】
前記のように構成した排水トラップ（Ｈ）は、以下のように施工される。
浴槽（Ｙ）を浴室に施工後、浴槽（Ｙ）の排水管３をエプロン（Ｅ）を貫通して洗い場パン（Ｙ１）の排水用の開口直上まで配置する。洗い場パン（Ｙ１）の排水用の開口に下側から排水トラップ（Ｈ）の排水口１１を位置あわせし、フランジ部材等で本体部１３を洗い場パン（Ｙ１）に取り付ける。そして、オワン部１４にその下端が配置されるように排水口１１に防臭筒１５を取り付け、あらかじめ導入管２の下部体２１と上部体２２を接続していた導入管２をオワン部１４内に配置する。尚、導入管２内には、あらかじめ捕集部材７が取り付けられているが、施工の際に、導入管２内に取り付けてもかまわない。その後、導入管２に前記浴槽（Ｙ）からの排水管３を接続する。また、排水口１１に、第一流路５からの排水ゴミや髪の毛を捕集するヘアーキャッチャー４を取り付けて施工が完了する。このようにして、本実施例の排水トラップ（Ｈ）の施工は完了する。
【００２２】
前記のように構成した排水トラップ（Ｈ）は、以下のような排水の流れとなる。
本発明は第一流路５からの排水と第二流路６からの排水と２系統の排水流路がある。
まず、第一流路５の排水は、図５（ａ）に示すように、洗い場パン（Ｙ１）上に発生した排水を、排水トラップ（Ｈ）内へと排水する流路である。洗い場パン（Ｙ１）上で排水が発生すると、洗い場パン（Ｙ１）の排水用開口に取り付けられた排水トラップ（Ｈ）本体部１３の排水口１１から、ヘアーキャッチャー４を介して本体部１３内へと流入する。このとき、排水口１１に取り付けられた防臭筒１５から本体部１３内部へと流入することとなる。
また、第二流路６の排水は、図５（ｂ）に示すように、排水機器である浴槽（Ｙ）から発生した排水であって、浴槽（Ｙ）の排水用ホースから排水された排水は、排水ホースに接続された排水管３とエプロン（Ｅ）を介し、導入管２内部へと排水される。導入管２内に排水された排水は、導入管２内を旋回流によって旋回しながら排水され、捕集部材７を介して排水トラップ（Ｈ）の本体部１３内の封水８へと排水される。このとき、導入管２内部には捕集部材７が取り付けられている為、第二流路６内に混入している髪の毛や排水ゴミ等が捕集部材７によって捕集されることとなる。
【００２３】
前記のように構成した排水トラップ（Ｈ）は、以下のようにメンテナンスされる。
導入管２内に捕集したゴミが溜まると定期的に使用者が清掃しなければならない。このとき、使用者は、洗い場パン（Ｙ１）の上方から導入管２の上部体２２を取り外す。すると、導入管２の下部体２１内には捕集部材７が取り付けられているので、導入管２上方から捕集部材７を取り外すことができる。その後、捕集部材７を裏返すのみで簡単に捕集部材７上の捕集したゴミや髪の毛を取り去ることができる。また、導入管２内部は、排水が内周面に沿うように旋回流が排水されていることと、捕集部材７の凸部７２が構成されていることで、排水中のゴミや糸くずが捕集部材７の凸部７２外周にリング状に集まり、また旋回流によって捕集部材７の側面や導入管２内周に排水中のゴミや髪の毛がこびりついたりしない為、使用者が捕集部材７を取り外して簡単に裏返すだけでゴミや髪の毛がはがれ落ちるようになる。
また、排水トラップ（Ｈ）内部を清掃したい場合には、この後に排水口１１からヘアーキャッチャー４と防臭筒１５を取り外す。その後、導入管２を排水トラップ（Ｈ）本体部１３内から取り出し、排水口１１から使用者が、本体部１３内部やオワン部１４、取り外した捕集部材７、防臭筒１５、導入管２をブラシ等で簡単に清掃することができる。
この後、上記の施工の項目に記載したように、オワン部１４、防臭筒１５、導入管２、排水管３、捕集部材７を取り付けることで、メンテナンスは完了する。
【００２４】
本発明の排水トラップ（Ｈ）は上記のような実施例であるが、特許請求の範囲の内容を逸脱しない範囲において、適宜変更は可能である。
例えば、上記実施例では浴槽（Ｙ）や洗濯機（Ｓ）用の排水トラップ（Ｈ）に用いているが、例えば台所用や洗面台用の排水トラップ（Ｈ）として用いてもかまわない。
また、上記実施例では捕集部材７を封水８より上方に配置しているが、封水８中に配置してもかまわない。
また、上記実施例では導入管２に捕集部材７を上部体２２・下部体２１と２パーツに構成しているが、一体的に構成してもかまわない。
また、上記実施例では導入管２の上部体２２・下部体２１を係合により取り付けているが、例えば接着やねじ螺合によって取り付けてもかまわない。
【符号の説明】
【００２５】
洗濯機              Ｓ
洗濯機用防水パン    Ｓ１
浴槽                Ｙ
洗い場パン          Ｙ１
排水トラップ        Ｈ
エプロン            Ｅ
排水口              １１
排出口              １２
本体部              １３
オワン部            １４
防臭筒              １５
導入管              ２
下部体              ２１
上部体              ２２
排水管              ３
ヘアーキャッチャー  ４
第一流路            ５
第二流路            ６
捕集部材            ７
テーパー面          ７１
凸部                ７２
封水                ８
【図１】
2013147890.tif 000003
【図２】
2013147890.tif 000004
【図３】
2013147890.tif 000005
【図４】
2013147890.tif 000006
【図５】
2013147890.tif 000007
【図６】
2013147890.tif 000008
【図７】
2013147890.tif 000009
【図８】
2013147890.tif 000010
【図９】
2013147890.tif 000011